(57)【要約】      （修正有）【課題】傘の中棒を挟持することができる、無はじきエコ傘用下ろくろ装置を提供する。【解決手段】上嵌合部１２と下嵌合部１３との間の外周面にリング状に設けられる係止リング１１と、上嵌合部の外周面に設けられる少なくとも１つの結合部１２４と、下嵌合部の下端外周縁に設けられる位置決めリング１３１と、下嵌合部の壁部及び位置決めリングに形成される少なくとも１つのスリット１３２とを有するスリーブ１０と、下嵌合部に嵌合されると共に、内周面に形成され、スリーブの係止リングと位置決めリングとの間に係止される、楕円形状を呈する位置決め突起部を有するリング部材３０と、上嵌合部及び係止リング上に嵌合されると共に、外周面に間隔を置いて複数の傘骨スリット５２が凹設される、リング状を呈する下ろくろ部材５０と、上嵌合部の結合部に嵌合されるナットとを有し、更に、下ろくろ部材は、ナットとスリーブの係止リングとの間に位置する。【選択図】図２
0003168279.tif 000002
【実用新案登録請求の範囲】
【請求項１】
パイプ状を呈し、上嵌合部と、円形である下嵌合部と、該上嵌合部と下嵌合部との間の外周面にリング状に設けられる係止リングと、該上嵌合部の外周面に設けられる少なくとも１つの結合部と、該下嵌合部の下端外周縁に設けられる位置決めリングと、該下嵌合部の壁部及び位置決めリングに形成される少なくとも１つのスリットとを有するスリーブと、
前記スリーブの下嵌合部に嵌合されると共に、内周面に形成され、前記スリーブにおける係止リングと位置決めリングとの間に係止される、楕円形状を呈する位置決め突起部を有するリング部材と、
前記スリーブの上嵌合部及び係止リング上に嵌合されると共に、外周面に間隔を置いて複数の傘骨スリットが凹設される、リング状を呈する下ろくろ部材と、
前記スリーブにおける上嵌合部の結合部に嵌合されるナットとを有し、
更に、前記下ろくろ部材は、前記ナットとスリーブの係止リングとの間に位置することを特徴とする無はじきエコ傘用下ろくろ装置。
【請求項２】
前記スリーブの下嵌合部における位置決めリングの内側にカラーが設置され、
前記リング部材の内部下端近傍にプラグ部材が固定され、
前記スリーブの位置決めリングは、前記リング部材の位置決め突起部とプラグ部材との間に位置することを特徴とする請求項１に記載の無はじきエコ傘用下ろくろ装置。
【請求項３】
前記リング部材の内周面における下端近傍に位置決め環状溝が形成され、
前記プラグ部材の外周面に前記リング部材の位置決め環状溝に嵌合される位置決め突出リングが設けられることを特徴とする請求項２に記載の無はじきエコ傘用下ろくろ装置。
【請求項４】
前記スリーブの上嵌合部の外周面に、前記係止リングに隣接する少なくとも１つの位置決め部が設けられ、
前記下ろくろ部材の内周面に、縦方向に沿うように前記スリーブの位置決め部に嵌合される少なくとも１つの位置決め部が凹設されることを特徴とする請求項１ないし請求項３のいずれか一項に記載の無はじきエコ傘用下ろくろ装置。
【請求項５】
前記スリーブの下嵌合部の内周面は、長軸内径ａａと、該長軸内径ａａと直交する短軸内径ｂｂとを有する形状を呈し、
前記下嵌合部の内周面における短軸内径ｂｂと対応する箇所に２つのスリットが形成されることを特徴とする請求項４に記載の無はじきエコ傘用下ろくろ装置。
【請求項６】
前記スリーブの上嵌合部の壁部に、少なくとも１つの貫通穴が形成され、該貫通穴の内端に、該上嵌合部から外部へ向かって突出すると共に、前記ナットの周縁に位置する少なくとも１つの弾性係止部が設けられ、
前記上嵌合部の結合部は、前記貫通穴と上嵌合部の位置決め部との間に位置することを特徴とする請求項５に記載の無はじきエコ傘用下ろくろ装置。
【請求項７】
前記ナットと上嵌合部の結合部とが螺合されることを特徴とする請求項６に記載の無はじきエコ傘用下ろくろ装置。
【請求項８】
前記スリーブの位置決めリングの外周面は階段状を呈し、
前記リング部材の位置決め突起部は、該位置決めリングと対応する階段状を呈することを特徴とする請求項７に記載の無はじきエコ傘用下ろくろ装置。
【考案の詳細な説明】
【技術分野】
【０００１】
本考案は、特に傘の中棒を挟持することができる無はじきエコ傘用下ろくろ装置に関するものである。
【背景技術】
【０００２】
従来の傘は、主に中棒と、該中棒の上端に取り付けられる上ろくろ装置と、軸方向に沿って摺動可能に該中棒が挿入される下ろくろ装置と、該上ろくろ装置及び下ろくろ装置に枢設される複数の傘骨とを有する。
【０００３】
前記中棒には、前記下ろくろ装置を該中棒の上端付近に固定させるための上はじき、及び下ろくろ装置を該中棒の下端付近に固定させる下はじきが設けられる。
【考案の概要】
【考案が解決しようとする課題】
【０００４】
しかしながら、従来の傘における下ろくろ装置を位置決めする上はじき及び下はじきを省き、傘の製造工程の単純化、原料など製造コストの低減、並びに廃棄分解及びリサイクルの利便性を図るためには、エコ傘を製造する時に、下ろくろ装置を中棒に挟持させ、自ら位置決めをする手段が必要となる。
【０００５】
そこで、案出されたのが本考案であって、中棒に位置決めすることができる、無はじきエコ傘用下ろくろ装置を提供することを目的としている。
【課題を解決するための手段】
【０００６】
本願の請求項１の考案は、パイプ状を呈し、上嵌合部と、円形である下嵌合部と、該上嵌合部と下嵌合部との間の外周面にリング状に設けられる係止リングと、該上嵌合部の外周面に設けられる少なくとも１つの結合部と、該下嵌合部の下端外周縁に設けられる位置決めリングと、該下嵌合部の壁部及び位置決めリングに形成される少なくとも１つのスリットとを有するスリーブと、前記スリーブの下嵌合部に嵌合されると共に、内周面に形成され、前記スリーブにおける係止リングと位置決めリングとの間に係止される、楕円形状を呈する位置決め突起部を有するリング部材と、前記スリーブの上嵌合部及び係止リング上に嵌合されると共に、外周面に間隔を置いて複数の傘骨スリットが凹設される、リング状を呈する下ろくろ部材と、前記スリーブにおける上嵌合部の結合部に嵌合されるナットとを有し、更に、前記下ろくろ部材は、前記ナットとスリーブの係止リングとの間に位置することを特徴とする無はじきエコ傘用下ろくろ装置、を提供する。
【０００７】
本願の請求項２の考案は、前記スリーブの下嵌合部における位置決めリングの内側にカラーが設置され、前記リング部材の内部下端近傍にプラグ部材が固定され、前記スリーブの位置決めリングは、前記リング部材の位置決め突起部とプラグ部材との間に位置することを特徴とする請求項１に記載の無はじきエコ傘用下ろくろ装置、を提供する。
【０００８】
本願の請求項３の考案は、前記リング部材の内周面における下端近傍に位置決め環状溝が形成され、前記プラグ部材の外周面に前記リング部材の位置決め環状溝に嵌合される位置決め突出リングが設けられることを特徴とする請求項２に記載の無はじきエコ傘用下ろくろ装置、を提供する。
【０００９】
本願の請求項４の考案は、前記スリーブの上嵌合部の外周面に、前記係止リングに隣接する少なくとも１つの位置決め部が設けられ、前記下ろくろ部材の内周面に、縦方向に沿うように前記スリーブの位置決め部に嵌合される少なくとも１つの位置決め部が凹設されることを特徴とする請求項１ないし請求項３のいずれか一項に記載の無はじきエコ傘用下ろくろ装置、を提供する。
【００１０】
本願の請求項５の考案は、前記スリーブの下嵌合部の内周面は、長軸内径ａａと、該長軸内径ａａと直交する短軸内径ｂｂとを有する形状を呈し、前記下嵌合部の内周面における短軸内径ｂｂと対応する箇所に２つのスリットが形成されることを特徴とする請求項４に記載の無はじきエコ傘用下ろくろ装置、を提供する。
【００１１】
本願の請求項６の考案は、前記スリーブの上嵌合部の壁部に、少なくとも１つの貫通穴が形成され、該貫通穴の内端に、該上嵌合部から外部へ向かって突出すると共に、前記ナットの周縁に位置する少なくとも１つの弾性係止部が設けられ、前記上嵌合部の結合部は、前記貫通穴と上嵌合部の位置決め部との間に位置することを特徴とする請求項５に記載の無はじきエコ傘用下ろくろ装置、を提供する。
【００１２】
本願の請求項７の考案は、前記ナットと上嵌合部の結合部とが螺合されることを特徴とする請求項６に記載の無はじきエコ傘用下ろくろ装置、を提供する。
【００１３】
本願の請求項８の考案は、前記スリーブの位置決めリングの外周面は階段状を呈し、前記リング部材の位置決め突起部は、該位置決めリングと対応する階段状を呈することを特徴とする請求項７に記載の無はじきエコ傘用下ろくろ装置、を提供する。
【考案の効果】
【００１４】
本考案は上記の課題を解決するものであり、下嵌合部が楕円形状を呈すると共に、前記リング部材の内周面が楕円形状を呈するので、該スリーブにおける下嵌合部の長軸内径とリング部材の長軸内径とが重なる時、本考案に係る下ろくろ装置をスムーズに摺動させ、傘の開閉を可能とする。
【００１５】
また、前記リング部材を回転させ、該リング部材の短軸内径とスリーブの下嵌合部の長軸内径とを重ねると、該リング部材がスリーブの下嵌合部を挟持し、該スリーブの下嵌合部及びカラーが緊締され、前記中棒に挟持されるので、前記下ろくろ装置が中棒に固定される。
【図面の簡単な説明】
【００１６】
【図１】本考案に係る無はじきエコ傘用下ろくろ装置を傘に使用した状態を示す斜視図である。
【図２】本考案に係る無はじきエコ傘用下ろくろ装置の分解斜視図である。
【図３】本考案に係る無はじきエコ傘用下ろくろ装置の側面拡大断面図である。
【図４】本考案に係る無はじきエコ傘用下ろくろ装置の他の側面拡大断面図である。
【図５】本考案に係る無はじきエコ傘用下ろくろ装置の平面拡大断面図である。
【図６】本考案に係る無はじきエコ傘用下ろくろ装置の他の平面拡大断面図である。
【考案を実施するための形態】
【００１７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１８】
図１に示すように、無はじきエコ傘７０は、中棒７１と、上ろくろ装置７２と、骨組７３とを有し、該中棒７１は、ガラス繊維からなるパイプ状を呈するものである。
【００１９】
前記上ろくろ装置７２は、前記中棒７１の上端近傍に設置され、前記骨組７３は、該中棒７１に対して放射状に配置され、内端が該上ろくろ装置７２に枢設される複数の親骨７３１と、同様に放射状に配置され、内端が夫々該親骨７３１の中央に枢設される複数の受骨７３２とを有する。
【００２０】
図２に示すように、本考案に係る無はじきエコ傘用下ろくろ装置１は、軸方向に沿って摺動可能に該中棒７１に設置され、パイプ状を呈するスリーブ１０と、カラー２０と、リング部材３０と、プラグ部材４０と、下ろくろ部材５０と、ナット６０とを有する。
【００２１】
前記スリーブ１０には、前記中棒７１が挿設され、上嵌合部１２と、円形である下嵌合部１３と、該上嵌合部１２と下嵌合部１３との間の外周面にリング状に設けられる係止リング１１とを有する。
【００２２】
前記上嵌合部１２は、前記スリーブ１０の上嵌合部１２の壁部に形成される、少なくとも１つの貫通穴１２１と、該貫通穴１２１の内端に設けられ、前記上嵌合部１２から外部へ向かって突出すると共に、前記ナット６０の周縁に位置する、少なくとも１つの弾性係止部１２２と、該スリーブ１０の上嵌合部１２の外周面に、前記係止リング１１に隣接する、少なくとも１つの位置決め部１２３と、該上嵌合部１２の外周面に設けられ、前記貫通穴１２１と上嵌合部１２の位置決め部１２３との間に位置する、少なくとも１つの結合部１２４とを有する。
【００２３】
図５に示すように、下嵌合部１３は楕円形であり、その内周面は、長軸内径ａａと、該長軸内径ａａと直交する短軸内径ｂｂとを有する形状を呈し、更に、該下嵌合部１３は、その下端の外周縁に設けられる位置決めリング１３１と、壁部及び位置決めリング１３１に形成される少なくとも１つのスリット１３２とを有する。
【００２４】
本実施例において、前記下嵌合部１３は夫々該下嵌合部１３の内周面における断面の短軸内径と対応する箇所に位置する２つのスリット１３２を有する。
【００２５】
図３に示すように、カラー２０は、スリーブ１０の下嵌合部１３における位置決めリング１３１の内側に設置される。
【００２６】
前記リング部材３０は、前記スリーブ１０の下嵌合部１３に嵌合されると共に、位置決め突起部３１と、位置決め環状溝３２とを有し、その内周面は、長軸内径ａａと、該長軸内径ａａと直交する短軸内径ｂｂとを有する楕円形を呈する。
【００２７】
前記位置決め突起部３１は、前記リング部材３０の内周面に形成されるものであり、前記スリーブ１０における係止リング１１と位置決めリング１３１との間に係止され、また、前記位置決め環状溝３２は、該リング部材３０の内周面における下端近傍に形成されるものである。そして、前記リング部材３０を前記スリーブ１０の下嵌合部１３に取り付ける時、前記スリット１３２により、前記下嵌合部１３の位置決めリング１３１を、前記リング部材３０を通過できるように変形させる。その後、前記リング部材３０を通過した該位置決めリング１３１は、元の形状に回復し、該リング部材３０の位置決め突起部３１に係止される。即ち、前記リング部材３０の位置決め突起部３１を、前記スリーブ１０における係止リング１１と位置決めリング１３１との間に係止させることにより、該リング部材３０をスリーブ１０に対して位置決めする。
【００２８】
また、本実施例において、前記スリーブ１０の位置決めリング１３１の外周面は階段状を呈すると共に、前記リング部材３０の位置決め突起部３１も、前記位置決めリング１３１と対応する階段状を呈するので、確実に位置決めを行うことができる。
【００２９】
前記プラグ部材４０は、前記スリーブ１０の位置決めリング１３１を、前記リング部材３０の位置決め突起部３１とプラグ部材４０との間に挟持するため、該リング部材３０の内部における下端近傍に固定される。また、前記プラグ部材４０の外周面には、該プラグ部材４０をリング部材３０に位置決めするために、該リング部材３０の位置決め環状溝３２に嵌合される位置決め突出リング４１が設けられる。
【００３０】
前記下ろくろ部材５０は、リング状を呈し、前記スリーブ１０の上嵌合部１２及び係止リング１１上に嵌合されると共に、内周面に凹設される少なくとも１つの位置決め部５１とを有し、該位置決め部５１は、長手方向に沿って該下ろくろ部材５０を貫通し、前記スリーブ１０の位置決め部１２３に嵌合され、該下ろくろ部材５０を前記スリーブ１０に対して回転させないようにするためのものであり、該下ろくろ部材５０の外周面に複数の傘骨スリット５２が間隔を置いて凹設され、該傘骨スロット５２に前記骨組７３の受骨７３２の内端が枢設される。
【００３１】
前記ナット６０は、前記スリーブ１０の上嵌合部１２に環装されると共に、該上嵌合部１２の結合部１２４に螺合され、これにより、前記下ろくろ部材５０をナット６０とスリーブ１０の係止リング１１との間に位置決めする。
【００３２】
また、前記下ろくろ部材５０とナット６０とを、前記スリーブ１０の上嵌合部１２上に設置する時は、先ず該下ろくろ部材５０とナット６０の、前記上嵌合部１２における弾性係止部１２２の通過を可能とするために、該下ろくろ部材５０とナット６０により該弾性係止部１２２を圧迫し、該下ろくろ部材５０とナット６０が所定の位置に到達すると、該ナット６０及び下ろくろ部材５０の、前記スリーブ１０の上嵌合部１２からの脱落を防止するように、該ナット６０が該弾性係止部１２２に螺合される。
【００３３】
図３及び図５に示すように、リング部材３０を、スリーブ１０の下嵌合部１３に対して、該スリーブ１０の下嵌合部１３の長軸内径ａａとリング部材３０の長軸内径ＡＡとが重なる位置まで回転させると、緊締状態にない該スリーブ１０の下嵌合部１３が、傘を開閉可能となるようにスムーズに中棒７１に沿って摺動することができる。
【００３４】
図４及び図６に示すように、本考案に係る無はじきエコ傘用下ろくろ装置１を中棒７１の所定の位置に固定させる時は、リング部材３０をスリーブ１０の下嵌合部１３に対して、該リング部材３０の短軸内径ＢＢとスリーブ１０の下嵌合部１３の長軸内径ａａとが重なる位置まで回転させると、該リング部材３０が該スリーブ１０の下嵌合部１３を緊締し、該スリーブ１０の下嵌合部１３及びカラー２０により中棒７１が挟持されるので、前記下ろくろ装置１を中棒７１の所定の位置に固定させることができる。
【産業上の利用可能性】
【００３５】
本考案は上記の構成により、傘の中棒を挟持することができる無はじきエコ傘用下ろくろ装置を提供するので、産業上の利用可能性を有する。
【符号の説明】
【００３６】
１    下ろくろ装置
１０    スリーブ
１１    係止リング
１２    上嵌合部
１３    下嵌合部
２０    カラー
３０    リング部材
３１    位置決め突起部
３２    位置決め環状溝
４０    プラグ部材
４１    位置決め突出リング
５０    下ろくろ部材
５１    位置決め部
５２    傘骨スリット
６０    ナット
７０    無はじきエコ傘
７１    中棒
７２    上ろくろ装置
７３    骨組
１２１    貫通穴
１２２    弾性係止部
１２３    位置決め部
１２４    結合部
１３１    位置決めリング
１３２    スリット
７３１    親骨
７３２    受骨
【図１】
0003168279.tif 000003
【図２】
0003168279.tif 000004
【図３】
0003168279.tif 000005
【図４】
0003168279.tif 000006
【図５】
0003168279.tif 000007
【図６】
0003168279.tif 000008